【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】  画像を光電変換して画像信号として出力する光電変換手段、前記光電変換手段により出力される画像信号を階調変換するとともにガンマ補正する第１の変換手段、前記第１の変換手段により変換された画像信号を出力する出力手段を有する画像読み取り装置本体と前記出力手段により出力される画像信号を入力する入力手段、前記入力手段により入力される画像信号を階調変換するとともにガンマ補正する第２の変換手段を有することを特徴とする画像処理システム。
【請求項２】  前記第２の変換手段のガンマ係数は、前記第１の変換手段のガンマ係数の逆数であることを特徴とする請求項１に記載の画像処理システム。
【請求項３】  前記第１の変換手段のガンマ係数が、前記第２の変換手段により変換された画像を表示するためのディスプレイのガンマ係数の逆数に等しいことを特徴とする請求項１及び２に記載の画像処理システム。
【請求項４】  さらに前記画像を照明するための光源を有することを特徴とする請求項１乃至３記載の画像処理システム。
【請求項５】  画像を光電変換して画像信号として出力し、前記出力される画像信号を第１の変換手段によって階調変換するとともにガンマ補正し、前記変換手段により変換された画像信号を画像読み取り装置本体から出力し、前記出力される画像信号を入力し、前記入力される画像信号を第２の変換手段によって階調変換するとともにガンマ補正することを特徴とする画像処理方法。
【請求項６】  前記第２の変換手段のガンマ係数は、前記第１の変換手段のガンマ係数の逆数であることを特徴とする請求項５に記載の画像処理システム。
【請求項７】  前記第１の変換手段のガンマ係数が、前記第２の変換手段により変換された画像を表示するためのディスプレイのガンマ係数の逆数に等しいことを特徴とする請求項５及び６に記載の画像処理方法。
【請求項８】  さらに前記画像を照明することを特徴とする請求項５乃至７記載の画像処理方法。
【請求項９】  入力される画像信号を階調変換するとともにガンマ補正する第２の変換手段を有する装置とともに用いられる画像処理装置であって、画像を光電変換して画像信号として出力する光電変換手段、前記光電変換手段により出力される画像信号を階調変換するとともにガンマ補正する第１の変換手段、前記変換手段により変換された画像信号を出力する出力手段を有することを特徴とする画像処理装置。
【請求項１０】  前記第２の変換手段のガンマ係数は、前記第１の変換手段のガンマ係数の逆数であることを特徴とする請求項９に記載の画像処理装置。
【請求項１１】  前記第１の変換手段のガンマ係数が、前記第２の変換手段により変換された画像を表示するためのディスプレイのガンマ係数の逆数に等しいことを特徴とする請求項９及び１０に記載の画像処理装置。
【請求項１２】  さらに前記画像を照明するための光源を有することを特徴とする請求項９乃至１１記載の画像処理装置。
【請求項１３】  画像を光電変換して画像信号として出力する光電変換手段、前記光電変換手段により出力される画像信号を階調変換するとともにガンマ補正する第１の変換手段、前記第１の変換手段により変換された画像信号を出力する出力手段を有する画像読み取り装置本体とともに用いられる画像処理装置であって、前記出力手段により出力される画像信号を入力する入力手段、前記入力手段により入力される画像信号を階調変換するとともにガンマ補正する第２の変換手段を有することを特徴とする画像処理装置。
【請求項１４】  前記第２の変換手段のガンマ係数は、前記第１の変換手段のガンマ係数の逆数であり、さらに前記第１の変換手段のガンマ係数が、前記第２の変換手段により変換された画像を表示するためのディスプレイのガンマ係数の逆数に等しいことを特徴とする請求項１３に記載の画像処理装置。
【請求項１５】  入力される画像信号を階調変換するとともにガンマ補正する第２の変換手段を有する装置とともに用いられる装置の画像処理方法であって、画像を光電変換して画像信号として出力し、前記出力される画像信号を第１の変換手段によって階調変換するとともにガンマ補正し、前記第１の変換手段により変換された画像信号を出力することを特徴とする画像処理方法。
【請求項１６】  前記第２の変換手段のガンマ係数は、前記第１の変換手段のガンマ係数の逆数であることを特徴とする請求項１５に記載の画像処理方法。
【請求項１７】  前記第１の変換手段のガンマ係数が、前記第２の変換手段により変換された画像を表示するためのディスプレイのガンマ係数の逆数に等しいことを特徴とする請求項１５及び１６に記載の画像処理方法。
【請求項１８】  画像を光電変換して画像信号として出力する光電変換手段、前記光電変換手段により出力される画像信号を階調変換するとともにガンマ補正する第１の変換手段、前記第１の変換手段により変換された画像信号を出力する出力手段を有する画像読み取り装置本体とともに用いられる装置の画像処理方法であって、前記出力手段により出力される画像信号を入力し、前記入力される画像信号を第２の変換手段によって階調変換するとともにガンマ補正することを特徴とする画像処理方法。
【請求項１９】  前記第２の変換手段のガンマ係数は、前記第１の変換手段のガンマ係数の逆数であることを特徴とする請求項１８に記載の画像処理方法。
【請求項２０】  前記第１の変換手段のガンマ係数が、前記第２の変換手段により変換された画像を表示するためのディスプレイのガンマ係数の逆数に等しいことを特徴とする請求項１８及び１９に記載の画像処理方法。
【請求項２１】  請求項５乃至８及び１５乃至２０に記載の方法をコンピュータに実行させるためのプログラムを格納したコンピュータが読み取り可能な記憶媒体。
【手続補正２】
【補正対象書類名】明細書
【補正対象項目名】００１６
【補正方法】変更
【補正の内容】
【００１６】
【課題を解決するための手段】
上記目的を達成するために本出願の画像処理システムは画像を光電変換して画像信号として出力する光電変換手段、前記光電変換手段により出力される画像信号を階調変換するとともにガンマ補正する第１の変換手段、前記第１の変換手段により変換された画像信号を出力する出力手段を有する画像読み取り装置本体と前記出力手段により出力される画像信号を入力する入力手段、前記入力手段により入力される画像信号を階調変換するとともにガンマ補正する第２の変換手段を有することを特徴とする。
【手続補正３】
【補正対象書類名】明細書
【補正対象項目名】００１７
【補正方法】変更
【補正の内容】
【００１７】
また好ましくは前記第２の変換手段のガンマ係数は、前記第１の変換手段のガンマ係数の逆数であることを特徴とする。
【手続補正４】
【補正対象書類名】明細書
【補正対象項目名】００１８
【補正方法】変更
【補正の内容】
【００１８】
また好ましくは前記第１の変換手段のガンマ係数が、前記第２の変換手段により変換された画像を表示するためのディスプレイのガンマ係数の逆数に等しいことを特徴とする。
【手続補正５】
【補正対象書類名】明細書
【補正対象項目名】００１９
【補正方法】変更
【補正の内容】
【００１９】
また好ましくはさらに前記画像を照明するための光源を有することを特徴とする。
【手続補正６】
【補正対象書類名】明細書
【補正対象項目名】００２０
【補正方法】変更
【補正の内容】
【００２０】
また本発明の画像処理方法は対象画像を光電変換して画像信号として出力し、前記出力される画像信号を第１の変換手段によって階調変換するとともにガンマ補正し、前記第１の変換手段により変換された画像信号を画像読み取り装置本体から出力し、前記出力される画像信号を入力し、前記入力される画像信号を第２の変換手段によって階調変換するとともにガンマ補正することを特徴とする。
【手続補正７】
【補正対象書類名】明細書
【補正対象項目名】００２１
【補正方法】変更
【補正の内容】
【００２１】
また本発明の記録媒体はかかる方法をコンピュータに実行させるためのプログラムを格納したコンピュータが読み取り可能な記憶媒体であること特徴とする。